(57)【特許請求の範囲】
【請求項１】
予約時刻設定装置と、炊飯ジャー及び電気ポットを含む複数の調理家電機器とが通信によって接続され、
前記予約時刻設定装置は、時計手段と、アラーム時刻設定手段と、通信手段と、前記アラーム時刻設定手段を用いて設定した時刻に、調理家電機器ごとに可変の遅延時間を加えた時刻の情報を前記通信手段を用いて調理家電機器に送信するか否かを切換設定する連動切換設定手段とを備え、
前記複数の調理家電機器のそれぞれは、前記予約時刻設定装置から送信された時刻の情報を受信する通信手段と、該通信手段が受信した時刻の情報に基づいて、該調理家電機器の予約時刻の設定を行う処理手段とを備えていることを特徴とする調理家電機器の予約時刻設定システム。
【請求項２】
前記調理家電機器の処理手段は、前記予約時刻の設定が完了すると、その旨の通知を前記通信手段を介して前記予約時刻設定装置に送信し、該通知を受信した前記予約時刻設定装置は、所定の表示又は音声出力によって前記調理家電機器における予約時刻の設定完了を報知することを特徴とする
請求項１記載の調理家電機器の予約時刻設定システム。
【発明の詳細な説明】
【０００１】
【発明の属する技術分野】
本発明は、家庭内ネットワークを用いて炊飯ジャー、電気ポットのような調理家電機器の予約時刻を容易に設定するための予約時刻設定装置及びシステムに関する。
【０００２】
【従来の技術】
近年、家庭用電気製品（以下、家電機器という）の多くにマイクロプロセッサが搭載され多機能化が進んでいる。また、パーソナルコンピュータを中心とする通信技術の進展に伴って、パーソナルコンピュータとテレビジョン受像機等の映像・音響機器とを相互に接続してデータ交換を行うことが実用化されつつある。将来的には、パーソナルコンピュータと家電製品との融合、更には、コンピュータ通信技術を用いた家電製品のネットワーク化が進むといわれている。
【０００３】
従来、家電製品のネットワーク化の研究は映像・音響機器を中心に行われて来た。電子レンジ（マイクロ波加熱調理器）のような比較的高機能の調理用家電製品においても、ネットワークを介してレシピを取得するといったコンピュータ通信技術の応用が提案され、そのような機能を有する製品が実用化されている。しかし、電気炊飯器（以下、炊飯ジャーという）や電気湯沸器（以下、電気ポットという）のような比較的機能が限られた家電製品に関するネットワーク化の研究は現在のところほとんどなされていない。
【０００４】
一方、近年の炊飯ジャーはマイクロプロセッサを備えたものがほとんどである。マイクロプロセッサは、温度センサ等の検出情報に基づいて火加減の調節をきめ細かく行い、内蔵ＲＯＭに記憶されたプログラムにしたがって所定の炊飯制御を実行する。また、リアルタイムクロック機能を備え、炊き上がり時刻の予約設定（炊飯予約）ができるものが多い。電気ポットについても、マイクロプロセッサを備え、保温温度の調節や湯量の監視、表示等をマイクロプロセッサの制御によって実現すると共に、リアルタイムクロックを用いて沸き上がり時刻の予約設定ができるものがある。
【０００５】
【発明が解決しようとする課題】
炊飯ジャーや電気ポットのような調理家電機器の予約時刻の設定は一般に容易であるとは言いがたい。今や家庭内には調理家電機器に限らず数多くの家電機器にディジタル表示の時計が備えられているが、時刻の設定方法は機器ごとに異なる。この種の機器操作に慣れていない使用者にとっては、各機器の時刻設定すら骨の折れる仕事である。予約時刻を設定したつもりが正しく設定されていなかったために、予定の時刻になっても機器が所望の動作を開始しないといった失敗もよくあることである。
【０００６】
一方、多くの人が目覚まし時計のような時計機能及びアラーム時刻設定機能を備えた機器を毎日使用しており、そのアラーム時刻設定が難しくてできないという人はごく少数であろう。ディジタル式の目覚まし時計のアラーム時刻設定は、電気機器の時刻設定と同様に、慣れていない人にとっては難しいかもしれないが、この時刻設定だけであればすぐに慣れるであろう。
【０００７】
また、炊飯ジャーや電気ポットのような調理家電機器の予約時刻の設定機能は、朝食の準備のために使用されることが多い。したがって、起床（目覚まし）時刻として設定するアラーム時刻と同じ時刻、又はその時刻を基準に定める時刻を他の家電機器の予約時刻として用いることができれば、各家電機器の予約時刻の設定を容易に行うことができ、かつ、設定ミスも少なくなるであろう。
【０００８】
そこで、本発明は、目覚まし時計のようなアラーム時刻設定機能を有する機器に通信機能を設け、同じく通信機能を有する調理家電機器と接続することにより、調理家電機器の予約時刻の設定を容易かつ確実に行うことができる予約時刻設定システムを提供することを目的とする。
【００１２】
【課題を解決するための手段】
本発明による調理家電機器の予約時刻設定システムは、予約時刻設定装置と、炊飯ジャー及び電気ポットを含む複数の調理家電機器とが通信によって接続され、予約時刻設定装置は、時計手段と、アラーム時刻設定手段と、通信手段と、アラーム時刻設定手段を用いて設定した時刻に、調理家電機器ごとに可変の遅延時間を加えた時刻の情報を通信手段を用いて調理家電機器に送信するか否かを切換設定する連動切換設定手段とを備え、調理家電機器のそれぞれは、予約時刻設定装置から送信された時刻の情報を受信する通信手段と、該通信手段が受信した時刻の情報に基づいて、該調理家電機器の予約時刻の設定を行う処理手段とを備えていることを特徴とする。
【００１３】
このような構成により、例えば目覚ましのために設定されたアラーム時刻に所定の遅延時間を加えた時刻を炊飯ジャー及び電気ポットを含む複数の調理家電機器に送信し、予約設定時刻として用いることができるので、複数の調理家電機器の予約時刻の設定を容易かつ確実に行うことができる。また、アラーム時刻設定手段を用いて設定した時刻（目覚まし時刻）に所定の遅延時間（例えば３０分）を加えた時刻の情報を調理家電機器の予約時刻（例えば飯の炊上り時刻や湯の沸き上り時刻）として設定することができるので、無駄な保温時間を短縮して省電力に貢献することもできる。
【００１４】
好ましくは、調理家電機器の処理手段は、予約時刻の設定が完了すると、その旨の通知を通信手段を介して予約時刻設定装置に送信し、該通知を受信した予約時刻設定装置は、所定の表示又は音声出力によって調理家電機器における予約時刻の設定完了を報知する。これにより、使用者は調理家電機器の予約時刻の設定が完了したことを予約時刻設定装置で知ることができる。
【００１５】
【発明の実施の形態】
以下、図面を参照しながら本発明の実施形態を説明する。
【００１６】
まず、本発明の実施形態に係る予約時刻設定システムを構成する炊飯ジャー及び電気ポットについて説明する。これらはいずれも予約時刻（炊き上がり時刻又は沸き上がり時刻）の設定機能を有する。
【００１７】
図１（ａ）及び（ｂ）は、本発明の実施形態に係る予約時刻設定システムを構成する電気ポット１及び炊飯ジャー２の主な構成を示すブロック図である。
【００１８】
図１（ａ）に示すように、電気ポット１は、水量センサ１１、温度センサ１２、操作パネル１３、表示部１４、制御部１５、ブザー１６、通信インターフェイス１７、吐出ポンプ１８及びヒータ１９を備えている。残湯量を検出するための水量センサ１１の検出信号と湯温（水温）を検出するための温度センサ１２の検出信号は共に制御部１５に入力される。
【００１９】
また、操作パネル１３は、給湯、温度設定等の操作を行うために用いられ、その操作信号が制御部１５に入力される。表示部１４は、残湯量（水量）のバーグラフ表示を行う残湯量表示部（第１表示部）と、現在湯温及び設定湯温等を表示する第２表示部とを含む。
【００２０】
制御部１５は、マイクロプロセッサ等によって構成され、内蔵ＲＯＭ（リードオンリーメモリ）に記憶されたプログラムにしたがって、水量センサ１１及び温度センサ１２の検出信号と操作パネル１３からの入力信号を処理すると共に、表示部１４の駆動制御、ブザー１６の鳴動制御、吐出ポンプ１８の駆動制御、ヒータ１９の通電制御等を行う。また、通信インターフェイス１７を介して他の家電機器（特に予約時刻設定装置）との間で行う通信の制御も司る。ブザー１６は、お湯の沸き上がりの報知や残湯量が少なくなったときの警報に使用される。
【００２１】
通信インターフェイス１７は、いわゆる家電ネットワークに接続し、炊飯ジャー２を含む他の家電機器との間で通信を行うための通信手段である。本実施形態では、後述する予約時刻設定装置との通信を行うために必要である。具体的な通信手段については、種々の公知技術を用いることができる。例えばＲＳ２３２Ｃ、ＲＳ４２２等の規格に基づいたシリアル通信を用いることができる。
【００２２】
あるいは、データ変調された高周波信号を商用電源電圧（ＡＣ１００Ｖ）に重畳することにより、商用電源の屋内配線を介してデータ伝送を行う方法も実用化されている。更には、パーソナルコンピュータと周辺機器とのデータ伝送の主流になると期待されているＵＳＢやＩＥＥＥ１３９４のインターフェイスを用いることも可能である。また、有線による通信に限らず、ブルートゥース（Ｂｌｕｅｔｏｏｔｈ）と呼称される無線方式の通信インターフェイスを用いてもよい。
【００２３】
後述する炊飯ジャー２及び予約時刻設定装置の通信手段についても同様に、上記のような種々の公知技術の中から選択することができる。以下の説明において、具体的な通信手段は特に限定しない。また、物理的な通信線とその接続用コネクタの図示は省略する。例えば、商用電源ラインを用いる通信又は無線通信のための手段（インターフェイス）が各家電機器に備えられているものとする。
【００２４】
吐出ポンプ１８は、電気ポット１のタンク内のお湯を注ぎ口から出湯（給湯）するための電動ポンプである。ヒータ１９は、お湯を沸かすためのヒータであり、電気ポット１のタンク底部に設けられている。
【００２５】
図２は電気ポット１を前面から見た外観図である。また、図３は電気ポット１の側面から見た断面図である。真空層を挟んだ二重ステンレススチール製のタンク３０の底部にヒータ１９が設けられている。電気ポット１の底部にはマイクロプロセッサ（制御部１５）を搭載した制御基板１５Ａと、吐出ポンプ１８が設けられている。なお、この電気ポット１は、真空層を挟んだ二重ステンレススチール製のタンク３０を有することにより、無通電状態でも保温が可能ないわゆる魔法瓶としての機能を有する。
【００２６】
上部蓋３１の手前に位置する本体上面には、操作パネル部１３及び第２表示部１４Ａが設けられている。本体前面には、タンク３０内の残湯量（水量）を表示する残湯量表示部１４Ｂが設けられている。残湯量表示部１４Ｂは、６個の赤色ＬＥＤ（発光ダイオード）３２を用いて残湯量のバーグラフ表示を行う。つまり、満水時は６個のＬＥＤ３２が点灯し、湯量が減少するにしたがって、一番上のＬＥＤ３２から順に消灯する。残湯量表示部１４Ｂの内側には、電気ポット１の底部に設けられた吐出ポンプ１８から上部の吐出口３３に至る縦方向の吐出管内の残湯量を検出する水量センサ１１が設けられている。
【００２７】
図４は、電気ポット１の操作パネル１３及び第２表示部１４Ａを示す図である。操作パネル１３は、給湯スイッチ３８、解除スイッチ３９、保温スイッチ４０、沸騰スイッチ４１、キッチンタイマースイッチ４２、予約スイッチ４３及び時刻設定スイッチ４３ａを備えている。給湯スイッチ３８を押すと吐出ポンプ１８が作動し、タンク３０内のお湯が吐出口３３から吐出する。ただし、安全のために、解除スイッチ３９を押した後、所定時間（例えば２０秒間）だけ給湯スイッチ３８の押下が有効になる。この間は解除インジケータ（ＬＥＤ）３９ａが点灯する。給湯後、所定時間（例えば２０秒間）が経過すれば元のロック状態に戻る。
【００２８】
保温スイッチ４０を押すことにより、保温（設定）温度を設定することができる。第２表示部１４Ａの下部に示されるように、９８℃、９０℃、６０℃の３通りの温度を設定することができる。現在の設定温度は三角マークによって示され、保温スイッチ４０を押すたびに三角マークが９８（℃）、９０（℃）、６０（℃）の上を順番に移動する。保温状態のときは保温インジケータ４０ａが点灯する。
【００２９】
沸騰スイッチ４１は、（再）沸騰を行うときに押下する。沸騰動作中は沸騰インジケータ４１ａが点灯する。キッチンタイマースイッチ４２は、付加的な機能として、第２表示部１４Ａの４桁７セグメント表示部の下２桁を用いたキッチンタイマー機能を実行するときに押下する。押下するたびに、タイマー表示（設定時間）が１分ずつインクリメントされ、３秒以上再押下が無ければタイマーのカウントダウンが始まる。
【００３０】
予約スイッチ４３は、お湯の沸き上がり時刻の予約設定に使用される。この予約スイッチ４３を押すと、第２表示部１４Ａの４桁７セグメント表示部と時刻設定スイッチ（時・分スイッチ）４３ａを用いて沸き上がり時刻の設定を行うことができる。続けて予約スイッチ４３を再度押すと、湯沸かしの予約が制御部１５の内蔵メモリに登録され、予約インジケータ４３ｂが点灯する。そして、予約設定の完了がブザーの鳴動によって報知される。この後、予約時刻の少し前（湯沸かしに必要な時間）までヒータ１９の通電は切られ、待機状態となる。制御部１５は、測定した水量に基づいて湯沸かしに必要な時間を概算し、ほぼ予約時刻に湯が沸き上がるように、予約時刻の少し前からヒータ１９の通電を始める。
【００３１】
第２表示部１４Ａの４桁７セグメント表示は、通常は現在時刻を表示しているが、湯沸かし中は図４に示すように、温度センサ１２によって検出されたタンク３０内の湯温が下２桁を用いて表示される。このとき、下２桁の上の「温度」の表示が点灯する。
【００３２】
図１（ｂ）を参照して、炊飯ジャー２は、温度センサ２１、表示部２２、操作パネル２３、制御部２４、ブザー２５、ヒータ２６、通信インターフェイス２７を備えている。温度センサ２１は、内釜の温度を検出するために用いられ、その検出信号は制御部２４に入力される。表示部２２は、炊飯モードの表示、現在時刻の表示、炊飯予約時刻の表示等に使用される。操作パネル２３は、炊飯の開始、時刻設定、予約炊飯の設定等の操作を行うために用いられ、その操作信号が制御部２４に入力される。
【００３３】
制御部２４は、マイクロプロセッサ等によって構成され、内蔵ＲＯＭ（リードオンリーメモリ）に記憶されたプログラムにしたがって、温度センサ２１の検出信号と操作パネル２３からの入力信号を処理すると共に、表示部２２の駆動制御、ブザー２５の鳴動制御、ヒータ２６の通電制御等を行う。また、通信インターフェイス２７を介して他の家電機器（特に予約時刻設定装置）との間で行う通信の制御も司る。ブザー２５は、炊き上がりの報知等に使用される。ヒータ２６は炊飯用のメインヒータ、保温用ヒータ及び結露防止用ヒータを含む。
【００３４】
通信インターフェイス２７は、電気ポット１の通信インターフェイス１７と同様に、他の家電機器との間で通信を行うための通信手段である。本実施形態では、後述する予約時刻設定装置との通信を行うために必要であり、有線・無線を問わず種々の公知手段を用いることができる。
【００３５】
図５は、炊飯ジャー２の側面から見た断面図である。内釜４４の底部を覆うようにメインヒータ２６Ａが設けられ、内釜４４の保持部材４４ａの側部にはリング状の保温用ヒータ２６Ｂが設けられている。また、内釜４４の上部開口を閉じる内蓋４５を熱伝導によって加熱するリング状の結露防止用ヒータ２６Ｃが設けられている。内釜４４の底部中心には、サーミスタ温度センサ２１が設けられている。
【００３６】
炊飯ジャー２の前面（図５では左側）の上部には、表示部２２及び操作パネル２３が設けられ、その内側にマイクロプロセッサ（制御部２４）を搭載した制御基板２４Ａが設けられている。また、電源回路及びヒータ通電制御回路等を搭載した電源基板４６が制御基板２４Ａの下方に設けられている。制御基板２４Ａ及び電源基板４６と内釜４４及びヒータ２６Ａ，２６Ｂとの間には断熱材４７が介装されている。
【００３７】
図６は、炊飯ジャー２の操作パネル２３及び表示部２２を示す図である。操作パネル２３は、炊飯スイッチ４７、予約スイッチ４８、メニュースイッチ４９、時刻設定スイッチ５０、再加熱スイッチ５１、取消スイッチ５２、保温スイッチ５３を備えている。炊飯スイッチ４７を押すと炊飯が開始し、炊飯インジケータ４７ａが点灯する。
【００３８】
予約スイッチ４８は炊飯予約の設定に使用される。この予約スイッチ４８を押すと、表示部２２の時刻表示部（７セグメント表示部）２２ａと時刻設定スイッチ（時・分スイッチ）５０を用いて炊き上がり時刻（予約時刻）の設定を行うことができる。この後、炊飯スイッチ４７を押すと、予約時刻が制御部２４の内蔵メモリに記憶され、予約インジケータ４８ａが点灯する。この際、予約設定の完了がブザーの鳴動によって報知される。制御部２４は、予約時刻より炊飯に必要な時間だけ手前の時刻から炊飯を開始し、ほぼ予約時刻にご飯が炊き上がるように制御する。
【００３９】
メニュースイッチ４９は、炊飯メニューの設定に用いられる。このメニュースイッチ４９を押すと、表示部２２の右端部で点灯するメニューが白米、早炊き、炊込み、おこわ、おかゆ、玄米と順番に変わり、点灯したメニューが選択される。メニュースイッチ４９を押さなければデフォルトとして白米が設定される。時刻設定スイッチ５０は上述の炊飯時刻の予約設定及び現在時刻の設定に用いられる。時、分の各スイッチを押せば時刻表示部２２ａのうち、上２桁（時）又は下２桁（分）がインクリメントされる。再加熱スイッチ５１は、冷めたご飯を再加熱するのに用いられる。取消スイッチ５２は予約設定、保温等の取り消しに用いられる。保温を取り消した場合は、保温スイッチ５３を押せば再び保温が始まる。
【００４０】
図７は、上記のような電気ポット１及び炊飯ジャー２を含む家電ネットワークに接続され、電気ポット１及び炊飯ジャー２の予約時刻の設定を容易に行うことができる予約時刻設定装置のブロック図である。
【００４１】
予約時刻設定装置３は、時計処理部（時計手段）６１、表示部６２、アラーム時刻設定部（アラーム時刻設定手段）６３、連動切換設定部（連動切換設定手段）６４、通信インターフェイス６５、及びブザー６６を備えている。
【００４２】
時計処理部６１は、リアルタイムクロック（時計用）ＩＣやＣＰＵ（プロセッサ）からなり、現在時刻の計時や入出力信号の処理等を行う。表示部６２は、例えば４桁７セグメントの液晶表示器で構成され、時計処理部６１の出力信号に基づいて、現在時刻やアラーム設定時刻等を表示する。
【００４３】
アラーム時刻設定部６３は、複数のキー（押釦）スイッチで構成され、アラームを発すべき月日（曜日）及び時刻を設定するために用いられる。アラーム時刻設定用のキースイッチは、現在時刻の設定にも用いられる。
【００４４】
連動切換設定部６４は、アラーム時刻設定部６３を用いて設定された時刻の情報を通信インターフェイス６５を介して炊飯ジャー２や電気ポット１に送信するか否かを切換設定するために用いられる。例えばスライド式の切換スイッチで構成される。キー（押釦）スイッチを押すたびに交互に切り換わるようにしてもよい。
【００４５】
通信インターフェイス６５は、電気ポット１の通信インターフェイス１７や炊飯ジャー２の通信インターフェイス２７と同様に、有線・無線を問わず種々の公知手段を用いることができる。電気ポット１、炊飯ジャー２等の家電機器との間で通信を行うための通信手段である。
【００４６】
ブザー６６はアラーム報知に用いられる他に、キー操作音を発するのにも用いられる。また、アラーム設定時刻を電気ポット１、炊飯ジャー２等の家電機器に送信した後、その家電機器から応答があったときに鳴動して情報の授受が正常に行われたことを報知するのにも用いられる。
【００４７】
図８（ａ）及び（ｂ）は上記のような予約時刻設定装置３が電気ポット１及び炊飯ジャー２と通信で接続された様子を示す模式図である。図８（ａ）は有線による通信で接続される場合を示し、図８（ｂ）は近年パーソナルコンピュータ関連の通信手段として注目されつつあるブルートゥースのような無線通信を用いた場合を示している。いずれの場合も、電気ポット１及び炊飯ジャー２に限らず、電子レンジ、コーヒーメーカー、オーブントースター等、種々の家電機器と予約時刻設定装置３を相互に接続することができる。もちろん、各家電機器は、予約時刻の設定機能及び所定の通信インターフェイス（ＲＳ２３２Ｃ、ＲＳ４２２、ＩＥＥＥ１３９４、ブルートゥース等）を備えている必要がある。
【００４８】
上記の予約時刻設定装置３は、いわば目覚まし時計のようなアラームクロックに通信機能等を付加したものである。本発明のシステムによれば、予約時刻設定装置３でアラーム時刻（起床時刻）を設定すれば、通信によって接続された炊飯ジャーや電気ポット等の予約時刻が自動的に設定される。このような処理の一例を図９に示す。
【００４９】
図９は、予約時刻設定装置３で設定した時刻の情報が通信を介して炊飯ジャー２に伝送され、炊飯ジャー２の予約炊飯時刻として設定される一連の処理を示すフローチャートである。予約時刻設定装置３の処理と炊飯ジャー２の処理を個別に示している。
【００５０】
予約時刻設定装置３でアラーム時刻の設定が行われる（ステップ＃１０１及びステップ＃１０２）。このとき、連動切換設定部の設定がＯＮになっていると、すなわち、設定したアラーム時刻の情報を他の家電機器に送信するように設定されていると（ステップ＃１０３のＹｅｓ）、設定時刻のデータが通信インターフェイス６５を介して炊飯ジャー２等に送信される（ステップ＃１０４）。連動切換設定部の設定がＯＦＦの場合（ステップ＃１０３のＮｏ）は、アラーム時刻の設定は他の家電機器の予約設定に何ら影響することなく終了する。
【００５１】
ステップ＃１５１で予約時刻設定装置３からの設定時刻データを受信した炊飯ジャー２は、ステップ＃１５２で予約時刻の自動設定を行う。すなわち、炊飯ジャー２の制御部２４は、前述の操作パネル２３の予約スイッチ４８及び時刻設定スイッチ５０を用いて設定した場合と同様に、炊き上がり時刻の予約設定を行う。この際、受信したアラーム時刻をそのまま炊き上がり時刻として設定してもよいし、例えばアラーム時刻より３０分後の時刻を炊き上がり時刻とするといった演算を行ってもよい。
【００５２】
炊き上がり時刻の予約設定が完了すると、炊飯ジャー２（の制御部２４）は設定完了応答を送信し（ステップ＃１５３）、予約時刻の自動設定処理を終了する。
【００５３】
予約時刻設定装置３は、ステップ＃１０５で炊飯ジャー２からの設定完了応答を受信すると、予約時刻の設定完了を示す所定の表示を表示部６２上に行うと共に、ブザー６６を所定のパターンで鳴動させる。これにより、予約時刻の設定完了を使用者に報知する。音声合成技術を用いて、音声メッセージを出力するようにしてもよい。
【００５４】
電気ポット１やその他の家電機器の予約時刻設定についても、各家電機器は上記の炊飯ジャー２と同様に、予約時刻設定装置３から受信したアラーム時刻に基づいて予約時刻の自動設定を行う。したがって、使用者は予約時刻設定装置３（例えば目覚まし時計）のアラーム時刻を設定するだけで、複数の家電機器の予約時刻設定を行うことができる。
【００５５】
上記実施形態の構成において、予約時刻設定装置３の連動切換設定部６４を家電機器ごとに設けてもよい。つまり、例えば炊飯ジャー２にはアラーム設定時刻を伝送するが電気ポット１には伝送しないというように、家電機器ごとにアラーム設定時刻を伝送するか否か、すなわちアラーム時刻に基づく予約時刻の自動設定を行うか否かの設定ができるようにしてもよい。
【００５６】
また、前述のように、アラーム時刻から少し遅れた時刻を予約時刻とする演算を行う場合に、その遅延時間を家電機器ごとに異なる値としてもよい。これは、各家電機器の制御部の予約時刻自動設定処理のプログラム又はパラメータを変えることによって実現する。
【００５７】
以上、本発明の実施形態及び変形例を説明したが、本発明はこれらの実施形態及び変形例に限らず、種々の形態で実施することができる。
【００５８】
【発明の効果】
以上に説明したように、本発明によれば、例えば目覚ましのために設定されたアラーム時刻を通信手段を介して炊飯ジャー等の調理家電機器に送信し、予約設定時刻として用いることができる。したがって、１又は複数の調理家電機器の予約時刻の設定を容易かつ確実に行うことができる。
【図面の簡単な説明】
【図１】本発明の実施形態に係る予約時刻設定システムを構成する電気ポット及び炊飯ジャーの主な構成を示すブロック図
【図２】電気ポットを前面から見た外観図である。
【図３】電気ポットの側面から見た断面図である。
【図４】電気ポットの操作パネル及び第２表示部を示す図である。
【図５】炊飯ジャーの側面から見た断面図である。
【図６】炊飯ジャーの操作パネル及び表示部を示す図である。
【図７】本発明の実施形態に係る予約時刻設定装置のブロック図である。
【図８】予約時刻設定装置が電気ポット及び炊飯ジャーと通信で接続された様子を示す模式図である。
【図９】予約時刻設定装置で設定した時刻の情報が通信を介して炊飯ジャーに伝送され、炊飯ジャーの予約炊飯時刻として設定される一連の処理を示すフローチャートである。
【符号の説明】
１  電気ポット（調理家電機器）
２  炊飯ジャー（調理家電機器）
３  予約時刻設定装置
１５，２４  処理手段
１７，２７，６５  通信手段
６１  時計手段
６３  アラーム時刻設定手段
６４  連動切換設定手段
６６  報知手段
【図１】
0003546811.tif 000002
【図２】
0003546811.tif 000003
【図３】
0003546811.tif 000004
【図４】
0003546811.tif 000005
【図５】
0003546811.tif 000006
【図６】
0003546811.tif 000007
【図７】
0003546811.tif 000008
【図８】
0003546811.tif 000009
【図９】
0003546811.tif 000010